(57)【要約】【課題】テレビジョン受像機の機能を容易に更新することができるようにする。【解決手段】ベイ４には、所定の画像処理機能を有する基板１１または１２が格納される。基板１１は、ＳＤ信号からＨＤ信号を生成する機能、および解像度とノイズのボリュームを調節する機能を有している。基板１２は、ＳＤ信号からＨＤ信号を生成する機能、および解像度とノイズのボリュームを調節する機能の他、ズーム機能をさらに備えている。基板１１がベイ４に格納されたテレビジョン受像機１が販売された後、ズーム機能が開発された場合において、製造事業者が、ズーム機能がさらに搭載されたテレビジョン受像機１本体の他に、基板１２を製造販売することで、基板１１がベイ４に格納されたテレビジョン受像機１のユーザであっても、基板１２を購入し、それを基板１１と差し替えるだけで、ズーム機能を利用することができるようになる。【選択図】      図１
2004247990.tif 000002
【特許請求の範囲】
【請求項１】
画像データを入力する画像データ入力部、同期信号を入力する同期信号入力部、制御信号を入力する制御信号入力部、および所定の画像処理が施された処理済み画像データを出力する処理済み画像データ出力部とともに、前記同期信号に従って動作して、前記画像データに対し、前記制御信号に基づく前記画像処理を施す画像信号処理部を備える基板が接続される画像処理装置において、
前記基板の前記画像データ入力部に接続される画像データ出力部と、
前記基板の前記同期信号入力部に接続される同期信号出力部と、
前記基板の前記制御信号入力部に接続される制御信号出力部と、
前記基板の前記処理済み画像データ出力部に接続される処理済み画像データ入力部と、
前記画像データ出力部を介して、前記画像データを前記画像データ入力部に出力する画像データ出力手段と、
前記同期信号出力部を介して、前記同期信号を前記同期信号入力部に出力する同期信号出力手段と、
前記制御信号出力部を介して、前記制御信号を前記制御信号入力部に出力する制御信号出力手段と、
前記処理済み画像データ入力部を介して、前記処理済み画像データを入力し、所定の表示処理を施す表示処理手段と
を備えることを特徴とする画像処理装置。
【請求項２】
前記基板は、前記画像信号処理部の識別情報を記憶する記憶部をさらに備え、
前記制御信号出力手段は、前記記憶部に記憶されている前記識別情報に基づいて前記画像信号処理部を識別し、その識別結果に応じた前記制御信号を出力する
ことを特徴とする請求項１に記載の画像処理装置。
【請求項３】
前記制御信号入力部および前記制御信号出力部は、前記制御信号より大きいデータ量の転送容量を有する
ことを特徴とする請求項１に記載の画像処理装置。
【請求項４】
前記基板の前記画像信号処理部は、画素数を変換またはインタレース画像をプログレッシブ画像に変換するとともに、解像度とノイズ除去度を調整軸とする画質調整を行う第１の前記画像処理または所定の拡大率で画像を拡大する第２の前記画像処理を行い、
前記制御信号出力手段は、前記第１および前記第２の画像処理に応じた前記制御信号を出力するのに必要なプログラムを格納し、前記プログラムに従って、前記第１および前記第２の画像処理に応じた前記制御信号を出力する
ことを特徴とする請求項１に記載の画像処理装置。
【請求項５】
前記基板の前記画像信号処理部は、画素数を変換またはインタレース画像をプログレッシブ画像に変換するとともに、解像度とノイズ除去度を調整軸とする画質調整を行う第１の前記画像処理または所定の拡大率で画像を拡大する第２の前記画像処理を行い、
前記基板は、前記第１または前記第２の画像処理に応じた前記制御信号を出力するのに必要なプログラムを格納する記憶部をさらに備え、
前記制御信号出力部は、前記記憶部に格納された前記プログラムに従って、前記第１または前記第２の画像処理に応じた前記制御信号を出力する
ことを特徴とする請求項１に記載の画像処理装置。
【請求項６】
前記画像信号処理部は、画像サイズを変換して、画素数を変換またはインタレース画像をプログレッシブ画像に変換するとともに、解像度とノイズ除去度を調整軸とする画質調整を行う第１の前記画像処理または所定の拡大率で画像を拡大する第２の前記画像処理を行う
ことを特徴とする請求項１に記載の画像処理装置。
【請求項７】
画像データを出力する画像データ出力部、同期信号を出力する同期信号出力部、制御信号を出力する制御信号出力部、および所定の画像処理が施された処理済み画像データを入力する処理済み画像データ入力部を備える他の画像処理装置に接続される画像処理装置において、
前記他の画像処理装置の前記画像データ出力部に接続される画像データ入力部と、
前記他の画像処理装置の前記同期信号出力部に接続される同期信号入力部と、
前記他の画像処理装置の前記制御信号出力部に接続される制御信号入力部と、
前記他の画像処理装置の前記処理済み画像データ入力部に接続される処理済み画像データ出力部と、
前記同期信号に従って動作して、前記画像データに対し、前記制御信号に基づく前記画像処理を施す画像処理手段と
を備えることを特徴とする画像処理装置。
【請求項８】
画像データを入力する画像データ入力部、同期信号を入力する同期信号入力部、制御信号を入力する制御信号入力部、および所定の画像処理が施された処理済み画像データを出力する処理済み画像データ出力部とともに、前記同期信号に従って動作して、前記画像データに対し、前記制御信号に基づく前記画像処理を施す画像信号処理部、および前記処理済み画像データに所定のユーザインタフェース画像を合成する表示制御部を備える基板に接続される画像処理装置において、
前記基板の前記画像データ入力部に接続される画像データ出力部と、
前記基板の前記同期信号入力部に接続される同期信号出力部と、
前記基板の前記制御信号入力部に接続される制御信号出力部と、
前記基板の前記処理済み画像データ出力部に接続される処理済み画像データ入力部と、
前記画像データ出力部を介して、前記画像データを前記画像データ入力部に出力する出力手段と、
前記同期信号出力部を介して、前記同期信号を前記同期信号入力部に出力する同期信号出力手段と、
前記制御信号出力部を介して、前記制御信号を前記制御信号入力部に出力する制御信号出力手段と、
前記処理済み画像データ入力部を介して、前記ユーザインタフェース画像が合成された前記処理済み画像データを入力し、表示部に出力する出力手段と
を備えることを特徴とする画像処理装置。
【請求項９】
画像データを出力する画像データ出力部、同期信号を出力する同期信号出力部、制御信号を出力する制御信号出力部、および所定の画像処理が施された処理済み画像データを入力する処理済み画像データ入力部を備える他の画像処理装置に接続される画像処理装置において、
前記他の画像処理装置の前記画像データ出力部に接続される画像データ入力部と、
前記他の画像処理装置の前記同期信号出力部に接続される同期信号入力部と、
前記他の画像処理装置の前記制御信号出力部に接続される制御信号入力部と、
前記他の画像処理装置の前記処理済み画像データ入力部に接続される処理済み画像データ出力部と、
前記同期信号に従って動作して、前記画像データに対し、前記制御信号に基づく前記画像処理を施す画像処理手段と、
前記処理済み画像データに所定のユーザインタフェース画像を合成して、前記処理済み画像データ出力部を介して前記処理済み画像データ入力部に出力する出力手段と
を備えることを特徴とする画像処理装置。
【請求項１０】
画像データを入力する画像データ入力部、同期信号を入力する同期信号入力部、操作信号を入力する操作信号入力部、および所定の画像処理が施された処理済み画像データを出力する処理済み画像データ出力部とともに、前記操作信号に従って制御信号を生成する制御部、および前記同期信号に従って動作して、前記画像データに対し、前記制御信号に基づく前記画像処理を施す画像信号処理部、および前記処理済み画像データに所定のユーザインタフェース画像を合成する表示制御部を備える基板が接続される画像処理装置において、
前記基板の前記画像データ入力部に接続される画像データ出力部と、
前記基板の前記同期信号入力部に接続される同期信号出力部と、
前記基板の前記操作信号入力部に接続される操作信号出力部と、
前記基板の前記処理済み画像データ出力部に接続される処理済み画像データ入力部と、
前記画像データ出力部を介して、前記画像データを前記画像データ入力部に出力する画像データ出力手段と、
前記同期信号出力部を介して、前記同期信号を前記同期信号入力部に出力する同期信号出力手段と、
前記操作信号出力部を介して、前記操作信号を前記操作信号入力部に出力する操作信号出力手段と、
前記処理済み画像データ入力部を介して、前記ユーザインタフェース画像が合成された前記処理済み画像データを入力し、表示部に出力する出力手段と
を備えることを特徴とする画像処理装置。
【請求項１１】
画像データを出力する画像データ出力部、同期信号を出力する同期信号出力部、操作信号を出力する操作信号出力部、および所定の画像処理が施された処理済み画像データを入力する処理済み画像データ入力部を備える他の画像処理装置に接続される画像処理装置において、
前記他の画像処理装置の前記画像データ出力部に接続される画像データ入力部と、
前記他の画像処理装置の前記同期信号出力部に接続される同期信号入力部と、
前記他の画像処理装置の前記操作信号出力部に接続される操作信号入力部と、
前記他の画像処理装置の前記処理済み画像データ入力部に接続される処理済み画像データ出力部と、
前記操作信号に従って制御信号を生成する制御手段と、
前記同期信号に従って動作して、前記画像データに対し、前記制御信号に基づく前記画像処理を施す画像処理手段と、
前記処理済み画像データに所定のユーザインタフェース画像を合成して、前記処理済み画像データ出力部を介して、前記処理済み画像データ入力部に出力する出力手段と
を備えることを特徴とする画像処理装置。
【請求項１２】
画像データを入力する画像データ入力部、同期信号を入力する同期信号入力部、制御信号を入力する制御信号入力部、および所定の画像処理が施された処理済み画像データを出力する処理済み画像データ出力部、操作信号を出力する操作信号出力部とともに、前記操作信号を受信する受信部、および前記同期信号に従って動作して、前記画像データに対し、前記操作信号に応じた制御信号に基づく前記画像処理を施す画像信号処理部を備える基板が接続される画像処理装置において、
前記基板の前記画像データ入力部に接続される画像データ出力部と、
前記基板の前記同期信号入力部に接続される同期信号出力部と、
前記基板の前記制御信号入力部に接続される制御信号出力部と、
前記基板の前記処理済み画像データ出力部に接続される処理済み画像データ入力部と、
前記基板の前記操作信号出力部に接続される操作信号入力部と、
前記画像データ出力部を介して、前記画像データを前記画像データ入力部に出力する画像データ出力手段と、
前記同期信号出力部を介して、前記同期信号を前記同期信号入力部に出力する同期信号出力手段と、
前記操作信号入力部を介して前記操作信号を入力し、前記制御信号出力部を介して、前記操作信号に応じた前記制御信号を、前記制御信号入力部に出力する制御信号出力手段と、
前記処理済み画像データ入力部を介して前記処理済み画像データを入力し、前記処理済み画像データに対して所定の表示処理を施す表示処理手段と
を備えることを特徴とする画像処理装置。
【請求項１３】
操作信号を入力する操作信号入力部、画像データを出力する画像データ出力部、同期信号を出力する同期信号出力部、前記操作信号に応じた制御信号を出力する制御信号出力部、および所定の画像処理が施された処理済み画像データを入力する処理済み画像データ入力部を備える他の画像処理装置に接続される画像処理装置において、
前記他の画像処理装置の前記操作信号入力部に接続される操作信号出力部と、
前記他の画像処理装置の前記画像データ出力部に接続される画像データ入力部と、
前記他の画像処理装置の前記同期信号出力部に接続される同期信号入力部と、
前記他の画像処理装置の前記制御信号出力部に接続される制御信号入力部と、
前記他の画像処理装置の前記処理済み画像データ入力部に接続される処理済み画像データ出力部と、
前記操作信号を受信して、前記操作信号出力部を介して前記操作信号入力部に出力する操作信号出力手段と、
前記同期信号に従って動作して、前記画像データに対し、前記制御信号に基づく前記画像処理を施す画像処理手段と
を備えることを特徴とする画像処理装置。
【発明の詳細な説明】
【０００１】
【発明の属する技術分野】
本発明は、画像処理装置に関し、特に、画像処理装置の機能を容易に変更することができるようにした画像処理装置に関する。
【０００２】
【従来の技術】
テレビジョン受像機の画像処理については、約１，２年の期間で新しい機能が開発され、その新しい機能がその本体に組み込まれた新機種のテレビジョン受像機が随時販売される。
【０００３】
【発明が解決しようとする課題】
ところで、テレビジョン受像機の寿命は、開発期間より長いので、前の機種のテレビジョン受像機を購入したユーザが、新製品に搭載された新機能（画像処理に関する新機能）の利用を希望する場合、先に購入したテレビジョン受像機が通常に利用することができるにもかかわらず、新機種のテレビジョン受像機そのものを購入しなければならなかった（買い換える必要があった）。
【０００４】
このことは、ユーザにとっては経済的な負担となることから、ユーザは、新機種への買い換えを躊躇するようになり、その結果、テレビジョン受像機の製造事業者にとっては、新製品の販売拡大や、それに搭載した新機能の利用拡大を図ることができない課題があった。
【０００５】
本発明はこのような状況に鑑みてなされたものであり、例えば、テレビジョン受像機の画像処理に関する機能を容易に更新することができるようにするものである。
【０００６】
【課題を解決するための手段】
本発明の第１の画像処理装置は、基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部と、画像データ出力部を介して、画像データを画像データ入力部に出力する画像データ出力手段と、同期信号出力部を介して、同期信号を同期信号入力部に出力する同期信号出力手段と、制御信号出力部を介して、制御信号を制御信号入力部に出力する制御信号出力手段と、処理済み画像データ入力部を介して、処理済み画像データを入力し、所定の表示処理を施す表示処理手段とを備えることを特徴とする。
【０００７】
基板は、画像信号処理部の識別情報を記憶する記憶部をさらに備え、制御信号出力手段は、記憶部に記憶されている識別情報に基づいて画像信号処理部を識別し、その識別結果に応じた制御信号を出力することができる。
【０００８】
制御信号入力部および制御信号出力部は、制御信号より大きいデータ量の転送容量を有することができる。
【０００９】
基板の画像信号処理部は、画素数を変換またはインタレース画像をプログレッシブ画像に変換するとともに、解像度とノイズ除去度を調整軸とする画質調整を行う第１の画像処理または所定の拡大率で画像を拡大する第２の画像処理を行い、制御信号出力手段は、第１および第２の画像処理に応じた制御信号を出力するのに必要なプログラムを格納し、プログラムに従って、第１および第２の画像処理に応じた制御信号を出力することができる。
【００１０】
基板の画像信号処理部は、画素数を変換またはインタレース画像をプログレッシブ画像に変換するとともに、解像度とノイズ除去度を調整軸とする画質調整を行う第１の画像処理または所定の拡大率で画像を拡大する第２の画像処理を行い、基板は、第１または第２の画像処理に応じた制御信号を出力するのに必要なプログラムを格納する記憶部をさらに備え、制御信号出力部は、記憶部に格納されたプログラムに従って、第１または第２の画像処理に応じた制御信号を出力することができる。
【００１１】
画像信号処理部は、画像サイズを変換して、画素数を変換またはインタレース画像をプログレッシブ画像に変換するとともに、解像度とノイズ除去度を調整軸とする画質調整を行う第１の画像処理または所定の拡大率で画像を拡大する第２の画像処理を行うことができる。
【００１２】
基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部とを備える本発明の第１の画像処理装置においては、画像データ出力部を介して、画像データが画像データ入力部に出力され、同期信号出力部を介して、同期信号が同期信号入力部に出力され、制御信号出力部を介して、制御信号が制御信号入力部に出力され、処理済み画像データ入力部を介して、処理済み画像データが入力され、所定の表示処理が施される。
【００１３】
本発明の第２の画像処理装置は、他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部と、同期信号に従って動作して、画像データに対し、制御信号に基づく画像処理を施す画像処理手段とを備えることを特徴とする。
【００１４】
他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部とを備える本発明の第２の画像処理装置においては、同期信号に従って動作して、画像データに対し、制御信号に基づく画像処理が施される。
【００１５】
本発明の第３の画像処理装置は、基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部と、画像データ出力部を介して、画像データを画像データ入力部に出力する出力手段と、同期信号出力部を介して、同期信号を同期信号入力部に出力する同期信号出力手段と、制御信号出力部を介して、制御信号を制御信号入力部に出力する制御信号出力手段と、処理済み画像データ入力部を介して、ユーザインタフェース画像が合成された処理済み画像データを入力し、表示部に出力する出力手段とを備えることを特徴とする。
【００１６】
基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部とを備える本発明の第３の画像処理装置においては、画像データ出力部を介して、画像データが画像データ入力部に出力され、同期信号出力部を介して、同期信号が同期信号入力部に出力され、制御信号出力部を介して、制御信号が制御信号入力部に出力され、処理済み画像データ入力部を介して、ユーザインタフェース画像が合成された処理済み画像データが入力され、表示部に出力される。
【００１７】
本発明の第４の画像処理装置は、他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部と、同期信号に従って動作して、画像データに対し、制御信号に基づく画像処理を施す画像処理手段と、処理済み画像データに所定のユーザインタフェース画像を合成して、処理済み画像データ出力部を介して処理済み画像データ入力部に出力する出力手段とを備えることを特徴とする。
【００１８】
他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部とを備える本発明の第４の画像処理装置においては、同期信号に従って動作して、画像データに対し、制御信号に基づく画像処理が施され、処理済み画像データに所定のユーザインタフェース画像が合成されて、処理済み画像データ出力部を介して処理済み画像データ入力部に出力される。
【００１９】
本発明の第５の画像処理装置は、基板の画像データ入力部に接続される画像データ出力部と、基板の同期信号入力部に接続される同期信号出力部と、基板の操作信号入力部に接続される操作信号出力部と、基板の処理済み画像データ出力部に接続される処理済み画像データ入力部と、画像データ出力部を介して、画像データを画像データ入力部に出力する画像データ出力手段と、同期信号出力部を介して、同期信号を同期信号入力部に出力する同期信号出力手段と、操作信号出力部を介して、操作信号を操作信号入力部に出力する操作信号出力手段と、処理済み画像データ入力部を介して、ユーザインタフェース画像が合成された処理済み画像データを入力し、表示部に出力する出力手段とを備えることを特徴とする。
【００２０】
基板の画像データ入力部に接続される画像データ出力部と、基板の同期信号入力部に接続される同期信号出力部と、基板の操作信号入力部に接続される操作信号出力部と、基板の処理済み画像データ出力部に接続される処理済み画像データ入力部とを備える本発明の第５の画像処理装置においては、画像データ出力部を介して、画像データが画像データ入力部に出力され、同期信号出力部を介して、同期信号が同期信号入力部に出力され、操作信号出力部を介して、操作信号が操作信号入力部に出力され、処理済み画像データ入力部を介して、ユーザインタフェース画像が合成された処理済み画像データが入力され、表示部に出力される。
【００２１】
本発明の第６の画像処理装置は、他の画像処理装置の画像データ出力部に接続される画像データ入力部と、他の画像処理装置の同期信号出力部に接続される同期信号入力部と、他の画像処理装置の操作信号出力部に接続される操作信号入力部と、他の画像処理装置の処理済み画像データ入力部に接続される処理済み画像データ出力部と、操作信号に従って制御信号を生成する制御手段と、同期信号に従って動作して、画像データに対し、制御信号に基づく画像処理を施す画像処理手段と、処理済み画像データに所定のユーザインタフェース画像を合成して、処理済み画像データ出力部を介して、処理済み画像データ入力部に出力する出力手段とを備えることを特徴とする。
【００２２】
他の画像処理装置の画像データ出力部に接続される画像データ入力部と、他の画像処理装置の同期信号出力部に接続される同期信号入力部と、他の画像処理装置の操作信号出力部に接続される操作信号入力部と、他の画像処理装置の処理済み画像データ入力部に接続される処理済み画像データ出力部とを備える本発明の第６の画像処理装置においては、操作信号に従って制御信号が生成され、同期信号に従って動作して、画像データに対し、制御信号に基づく画像処理が施され、処理済み画像データに所定のユーザインタフェース画像が合成されて、処理済み画像データ出力部を介して、処理済み画像データ入力部に出力される。
【００２３】
本発明の第７の画像処理装置は、基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部と、基板の操作信号出力部に接続される操作信号入力部と、画像データ出力部を介して、画像データを画像データ入力部に出力する画像データ出力手段と、同期信号出力部を介して、同期信号を同期信号入力部に出力する同期信号出力手段と、操作信号入力部を介して操作信号を入力し、制御信号出力部を介して、操作信号に応じた制御信号を、制御信号入力部に出力する制御信号出力手段と、処理済み画像データ入力部を介して処理済み画像データを入力し、処理済み画像データに対して所定の表示処理を施す表示処理手段とを備えることを特徴とする。
【００２４】
基板の画像データ入力部に接続される画像データ出力部と、基板の同期信号入力部に接続される同期信号出力部と、基板の制御信号入力部に接続される制御信号出力部と、基板の処理済み画像データ出力部に接続される処理済み画像データ入力部と、基板の操作信号出力部に接続される操作信号入力部とを備える本発明の第７の画像処理装置においては、画像データ出力部を介して、画像データが画像データ入力部に出力され、同期信号出力部を介して、同期信号が同期信号入力部に出力され、操作信号入力部を介して操作信号が入力され、制御信号出力部を介して、操作信号に応じた制御信号が、制御信号入力部に出力され、処理済み画像データ入力部を介して処理済み画像データが入力され、処理済み画像データに対して所定の表示処理が施される。
【００２５】
本発明の第８の画像処理装置は、他の画像処理装置の操作信号入力部に接続される操作信号出力部と、他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部と、操作信号を受信して、操作信号出力部を介して操作信号入力部に出力する操作信号出力手段と、同期信号に従って動作して、画像データに対し、制御信号に基づく画像処理を施す画像処理手段とを備えることを特徴とする。
【００２６】
他の画像処理装置の操作信号入力部に接続される操作信号出力部と、他の画像処理装置の画像データ出力部に接続される画像データ入力部と、他の画像処理装置の同期信号出力部に接続される同期信号入力部と、他の画像処理装置の制御信号出力部に接続される制御信号入力部と、他の画像処理装置の処理済み画像データ入力部に接続される処理済み画像データ出力部とを備える本発明の第８の画像処理装置においては、操作信号が受信されて、操作信号出力部を介して操作信号入力部に出力され、同期信号に従って動作して、画像データに対し、制御信号に基づく画像処理を施される。
【００２７】
【発明の実施の形態】
図１は、本発明を適用したテレビジョン受像機１の構成例を示している。
【００２８】
テレビジョン受像機１の筐体ともなっているテレビジョンラック２には、その正面の中央に、ＣＲＴ（ｃａｔｈｏｄｅ  Ｒａｙ  Ｔｕｂｅ）からなる表示部３が配置されている。
【００２９】
またテレビジョンラック２の正面下部には、１つのベイ（ｂａｙ）４が設けられている。このベイ４には、所定の画像処理に関する機能を有する画像信号処理部４１（図２），７２（図９）が実装された基板１１または１２が格納される。
【００３０】
詳細は後述するが、基板１１に実装された画像信号処理部４２は、ＳＤ信号（５２５ｉ信号）からＨＤ信号（１０５０ｉ信号または５２５ｐ信号）を生成する機能、および解像度とノイズのボリュームを調節する機能（解像度とノイズ除去度を調整軸とする画質調整機能）を有しているので、基板１１をベイ４に格納することにより、テレビジョン受像機１において、それらの機能を利用することができる。
【００３１】
また、詳細は後述するが、基板１２に実装された画像信号処理部７２は、ＳＤ信号（５２５ｉ信号）からＨＤ信号（１０５０ｉ信号または５２５ｐ信号）を生成する機能、および解像度とノイズのボリュームを調節する機能の他、表示部３に表示される画像の一部を拡大することができるズーム機能をさらに備えているので、基板１１に代えて、基板１２をベイ４に格納することにより、テレビジョン受像機１において、ズーム機能をさらに利用することができる。
【００３２】
すなわち、例えば、基板１１がベイ４に格納されたテレビジョン受像機１（ズーム機能が搭載されていないテレビジョン受像機１）が販売された後、ズーム機能が開発された場合において、製造事業者が、ズーム機能がさらに搭載されたテレビジョン受像機１本体の他に、基板１２を製造販売することで、基板１１がベイ４に格納されたテレビジョン受像機１のユーザであっても、基板１２を購入し、それを基板１１と差し替えるだけで、ズーム機能を利用することができるようになる。このように、テレビジョン受像機１全体の買い換えすることなく新機能を利用することができるので、ユーザの経済的な負担は小さくなり、ズーム機能の利用促進を図ることができる。
【００３３】
ここで、５２５ｉ信号は、ライン数が５２５本でインタレース方式の画像信号を意味し、５２５ｐ信号は、ライン数が５２５本でプログレッシブ方式（ノンインタレース方式）の画像信号を意味し、さらに１０５０ｉ信号はライン数が１０５０本でインタレース方式の画像信号を意味している。
【００３４】
リモートコマンダ５は、例えば、視聴するテレビジョン放送のチャンネルの選択、またはＨＤ信号の種類（５２５ｐまたは１０５０ｉ）の選択や画質の調節などを行う場合に、ユーザによって操作され、その操作に対応する信号を、赤外線によって、テレビジョン受像機１に送出する。
【００３５】
図２は、基板１１とテレビジョン受像機１の電気的構成例を示している。
【００３６】
テレビジョン受像機１と基板１１は、テレビジョン受像機１のベイ４内に設けられている接続部２１と、基板１１の接続部４１によって互いに接続されている。
【００３７】
テレビジョン受像機１のチューナ２３は、受信アンテナ２２で捕らえられた放送信号（ＲＦ変調信号）に対して、選局処理、中間周波増幅処理、検波処理等を行って５２５ｉ信号を抽出し、色復調回路２４および同期分離回路２５に供給する。
【００３８】
色復調回路２４は、チューナ２３から入力された５２５ｉコンポジット信号（搬送色信号）を５２５ｉコンポーネント信号（色差信号）に変換する。色復調回路２４は、変換した５２５ｉコンポーネント信号を、接続部２１の出力部２１ａおよび基板１１の接続部４１（入力部４１ａ）を介して、基板１１の画像信号処理部４２に供給する。
【００３９】
同期分離回路２５は、チューナ２３から入力された５２５ｉ信号から、垂直および水平同期信号を分離する。同期分離回路２５は、分離した水平および垂直同期信号を、接続部２１の出力部２１ｂおよび基板１１の接続部４１（入力部４１ｂ）を介して、基板１１の画像信号処理部４２に供給する。
【００４０】
システムコントローラ２６は、リモコン信号受信回路２７から供給された信号や、必要に応じて備えられる操作入力部（図示せず）から供給される、ユーザの操作入力を示す信号に従って、各部を制御する。
【００４１】
例えば、システムコントローラ２６は、チューナ２３に選択信号を送信したり、ＯＳＤ回路２８の動作を制御する。またシステムコントローラ２６は、接続部２１の入力部２１ｄおよび基板１１の接続部４１（出力部４１ｄ）を介して、基板１１のメモリ４３に記憶されている画像信号処理部４２の機能を示す情報を読み取り、その機能に応じた制御信号を、接続部２１の出力部２１ｃおよび基板１１の接続部４１（入力部４１ｃ）を介して、基板１１の画像信号処理部４２に供給する。
【００４２】
ＯＳＤ（Ｏｎ  Ｓｃｒｅｅｎ  Ｄｉｓｐｌａｙ）回路２８は、表示部３の画面上に文字図形等の表示（例えば、画像信号処理部４２の機能に応じた表示）を行うための表示信号を発生させ、合成器２９に供給する。合成器２９は、ＯＳＤ回路２８から供給された表示信号を、基板１１の接続部４１（出力部４１ｅ）および接続部２１（入力部２１ｅ）を介して供給される、画像信号処理部４２によって生成されたＨＤ信号に合成して表示部３に供給する。
【００４３】
偏向回路３０は、同期分離回路２５から入力される水平および垂直同期信号に同期して、電子ビームを画面の上下左右方向に走査させる。
【００４４】
基板１１に実装された画像信号処理部４２には、上述したように、接続部４１およびベイ４の接続部２１を介して、色復調回路２４からのＳＤ信号（５２５ｉ信号）、同期分離回路２５からの同期信号、システムコントローラ２６からの制御信号がそれぞれ入力される。画像信号処理部４２は、入力されたそれらの信号を利用して、ＨＤ信号（５２５ｐ信号または１０５０ｉ信号）を生成する。
【００４５】
画像信号処理部４２はまた、ＨＤ信号を生成する際、例えば、水平および垂直の解像度を指定するパラメータｒに応じた水平および垂直の解像度調整処理と、ノイズ除去度（ノイズ低減度）を指定するパラメータｚに応じたノイズ除去処理を行う。
【００４６】
パラメータｒ，ｚは、例えば、リモートコマンダ５を操作することによってユーザが調整することができる。図３は、パラメータｒ，ｚを調整する際に使用されるユーザインタフェースの一例を示し、図４は、図３に示す調整画面３ａの部分を拡大して示している。ユーザは、ジョイスティック５ａを操作して、表示部３に表示された調整画面３ａでアイコン３ｂの位置を左右に動かすことで解像度を決定するパラメータｒの値を調整し、上下に動かすことでノイズ除去度（ノイズ抑圧度）を決定するパラメータｚの値が調整することができる。
【００４７】
なお、リモートコマンダ５は、ジョイスティック５ａに代えて、マウスやトラックボール等のその他のポインティングデバイスを備え、それによってパラメータｒ，ｚを調整できるようにしてもよい。さらに、ユーザによって調整されたパラメータｒ，ｚの値が、調整画面３ａ上に数値表示されるようにしてもよい。
【００４８】
すなわち、図２に示すように、基板１１がテレビジョン受像機１に装着されている場合、システムコントローラ２６は、制御信号として、図５に示すような、ＨＤ信号として５２５ｐ信号を出力する第１の変換方法、またはＨＤ信号として１０５０ｉ信号を出力する第２の変換方法を表す信号フォーマットの選択情報（Ｄａｔａ０，１）、ノイズ抑圧効果の設定値（パラメータｚ）（Ｄａｔａ２，３）、および水平／垂直の解像度の設定値（パラメータｒ）（Ｄａｔａ４，５）を、画像信号処理部４２に供給する。
【００４９】
なお、この制御信号の授受を行う接続部２１の出力部２１ｃおよび接続部４１の入力部４１ｃは、いわゆる制御信号を授受するための専用線であり、図６に示すような、伝送用クロック（図６Ａ）、スタート信号（図６Ｂ）、および制御信号（図６Ｃ）が伝送される。また、接続部２１の出力部２１ｃおよび接続部４１の入力部４１ｃは、実際に転送される制御信号よりも大きなデータ量の転送容量を有している。このことにより、将来開発される新機能のために、より大きな制御信号の転送が必要となっても、それに対処することができる。
【００５０】
図７は、基板１１の画像信号処理部４２の構成例を示している。
【００５１】
第１乃至第３のタップ選択回路１０１乃至１０３は、接続部４１の入力部４１ａを介して入力されたＳＤ信号（５２５ｉ信号）より、ＨＤ信号（１０５０ｉ信号または５２５ｐ信号）に係る注目画素の周辺に位置する複数のＳＤ画素のデータを選択的に取り出して出力する。
【００５２】
第１のタップ選択回路１０１は、予測に使用するＳＤ画素（「予測タップ」と称する）のデータを選択的に取り出し、推定予測演算回路１０７に出力する。第２のタップ選択回路１０２は、ＳＤ画素データ（ＳＤ信号を構成する画素データ）のレベル分布パターンに対応するクラス分類に使用するＳＤ画素（「空間クラスタップ」と称する）のデータを選択的に取り出し、空間クラス抽出回路１０４に出力する。第３のタップ選択回路１０３は、動きに対応するクラス分類に使用するＳＤ画素（「動きクラスタップ」と称する）のデータを選択的に取り出し、動きクラス抽出回路１０５に出力する。なお、空間クラスを複数フィールドに属するＳＤ画素データを使用して決定する場合には、この空間クラスにも動き情報が含まれることになる。
【００５３】
空間クラス抽出回路１０４は、第２のタップ選択回路１０２からの空間クラスタップのデータ（ＳＤ画素データ）のレベル分布パターンを検出するとともに、このレベル分布パターンに基づいて空間クラスを検出し、そのクラス情報を、クラス合成回路１０６に出力する。
【００５４】
具体的には、空間クラス抽出回路１０４は、例えば、各ＳＤ画素データを、８ビットデータから２ビットデータに圧縮するような演算を行い、圧縮データを各ＳＤ画素データの空間クラスのクラス情報としてクラス合成回路１０６に出力する。本実施の形態においては、ＡＤＲＣ（Ａｄａｐｔｉｖｅ  Ｄｙｎａｍｉｃ  Ｒａｎｇｅ  Ｃｏｄｉｎｇ）によって、データ圧縮が行われるが、ＡＤＲＣ以外にＤＰＣＭ（予測符号化）、ＶＱ（ベクトル量子化）等を用いてもよい。
【００５５】
なお、本来、ＡＤＲＣは、ＶＴＲ（Ｖｉｄｅｏ  Ｔａｐｅ  Ｒｅｃｏｒｄｅｒ）向け高性能符号化用に開発された適応再量子化法であるが、信号レベルの局所的なパターンを短い語長で効率的に表現できるので、上述したデータ圧縮に使用してもよい。ＡＤＲＣを使用する場合、空間クラスタップのデータ（ＳＤ画素データ）の最大値をＭＡＸ、その最小値をＭＩＮ、空間クラスタップのデータのダイナミックレンジをＤＲ（＝ＭＡＸ−ＭＩＮ＋１）、再量子化ビット数をＰとすると、空間クラスタップのデータとしての各ＳＤ画素データｋｉに対して、式（１）の演算により、圧縮データとしての再量子化コードＱｉが得られる。ただし、式（１）において、［  ］は切り捨て処理を意味している。空間クラスタップのデータとして、Ｎａ個のＳＤ画素データがあるとき、ｉ＝１〜Ｎａである。
Ｑｉ＝［（ｋｉ−ＭＩＮ＋０．５）．２Ｐ／ＤＲ］      ・・・（１）
【００５６】
動きクラス抽出回路１０５は、第３のタップ選択回路１０３からの動きクラスタップのデータ（ＳＤ画素データ）より、主に動きの程度を表すための動きクラスを検出し、そのクラス情報をクラス合成回路１０６に出力する。
【００５７】
具体的には、動きクラス抽出回路１０５は、第３のタップ選択回路１０３からの動きクラスタップのデータ（ＳＤ画素データ）ｍｉ，ｎｉからフレーム間差分を算出するとともに、その差分の絶対値の平均値ＡＶを、式（２）に従って算出する。
【数１】
2004247990.tif 000003
【００５８】
そして、動きクラス抽出回路１０５は、算出した平均値ＡＶが１個または複数個のしきい値と比較して、動きクラスのクラス情報ＭＶを検出する。例えば、３個のしきい値ｔｈ１，ｔｈ２，ｔｈ３（ｔｈ１＜ｔｈ２＜ｔｈ３）が用意され、４つの動きクラスを検出する場合、ＡＶ≦ｔｈ１のときはＭＶ＝０、ｔｈ１＜ＡＶ≦ｔｈ２のときはＭＶ＝１、ｔｈ２＜ＡＶ≦ｔｈ３のときはＭＶ＝２、ｔｈ３＜ＡＶのときはＭＶ＝３とされる。
【００５９】
クラス合成回路１０６は、空間クラス抽出回路１０４からの空間クラスのクラス情報としての再量子化コードと、動きクラス抽出回路１０５からの動きクラスのクラス情報に基づき、作成すべきＨＤ信号（５２５ｐ信号または１０５０ｉ信号）の画素（注目画素）が属するクラスを示すクラスコードを生成する。
【００６０】
具体的には、クラス合成回路１０６は、式（３）によって、クラスコードの演算を行う。なお、式（３）において、Ｎａは空間クラスタップのデータ（ＳＤ画素データ）の個数、ＰはＡＤＲＣにおける再量子化ビット数を示している。
【数２】
2004247990.tif 000004
【００６１】
レジスタ１１０は、ＨＤ信号として５２５ｐ信号を出力する場合と１０５０ｉ信号を出力する場合とで、その動作を切り換える必要がある後処理回路１０９の動作を指定する動作指定情報を格納している。すなわち後処理回路１０９は、レジスタ１１０より供給される動作指定情報に従って動作する。
【００６２】
レジスタ１１１は、第１のタップ選択回路１０１で選択される予測タップのタップ位置情報を格納している。第１のタップ選択回路１０１は、レジスタ１１１より供給されるタップ位置情報に従って予測タップを選択する。タップ位置情報は、例えば選択される可能性のある複数のＳＤ画素に対して番号付けを行い、選択するＳＤ画素の番号を指定するものである。以下のタップ位置情報においても同様である。
【００６３】
レジスタ１１２は、第２のタップ選択回路１０２で選択される空間クラスタップのタップ位置情報を格納している。第２のタップ選択回路１０２は、レジスタ１１２より供給されるタップ位置情報に従って空間クラスタップを選択する。
【００６４】
ここで、レジスタ１１２には、動きが比較的小さい場合のタップ位置情報Ａと、動きが比較的大きい場合のタップ位置情報Ｂとが格納される。これらタップ位置情報Ａ，Ｂのいずれを第２のタップ選択回路１０２に供給するかは、動きクラス抽出回路１０５より出力される動きクラスのクラス情報によって選択される。
【００６５】
すなわち、動きがないか、あるいは動きが小さいためにＭＶ＝０またはＭＶ＝１であるときは、タップ位置情報Ａが第２のタップ選択回路１０２に供給され、この第２のタップ選択回路１０２で選択される空間クラスタップは、複数フィールドに跨るものとされる。また、動きが比較的大きいためにＭＶ＝２またはＭＶ＝３であるときは、タップ位置情報Ｂが第２のタップ選択回路１０２に供給され、この第２のタップ選択回路１０２で選択される空間クラスタップは、作成すべき画素と同一フィールド内のＳＤ画素のみとされる。
【００６６】
なお、上述したレジスタ１１１にも動きが比較的小さい場合のタップ位置情報と、動きが比較的大きい場合のタップ位置情報が格納されるようにし、第１のタップ選択回路１０１に供給されるタップ位置情報が動きクラス抽出回路１０５より出力される動きクラスのクラス情報によって選択されるようにしてもよい。
【００６７】
レジスタ１１３は、第３のタップ選択回路１０３で選択される動きクラスタップのタップ位置情報を格納している。すなわち第３のタップ選択回路１０３は、レジスタ１１３より供給されるタップ位置情報に従って動きクラスタップを選択する。
【００６８】
次に、係数メモリ１１４は、後述する推定予測演算回路１０７で使用される推定式の係数データを、クラス毎に格納している。この係数データは、ＳＤ信号としての５２５ｉ信号を、ＨＤ信号としての５２５ｐ信号または１０５０ｉ信号に変換するための情報である。係数メモリ１１４には上述したクラス合成回路１０６より出力されるクラスコードが読み出しアドレス情報として供給され、この係数メモリ１１４からはそのクラスコードに対応して記憶されている係数データが読み出され、推定予測演算回路１０７に供給される。
【００６９】
情報メモリバンク１１５には、レジスタ１１０に格納するための動作指定情報と、レジスタ１１１乃至１１３に格納するためのタップ位置情報が予め蓄えられている。
【００７０】
ここで、レジスタ１１０に格納するための動作指定情報は、後処理回路１０９を、５２５ｐ信号を出力するように動作させるための第１の動作指定情報と、後処理回路１０９を、１０５０ｉ信号を出力するように動作させるための第２の動作指定情報とからなる。
【００７１】
すなわち、５２５ｐ信号を出力するように動作させるための第１の動作指定情報は、システムコントローラ２６より情報メモリバンク１１５にＨＤ信号として５２５ｐ信号を出力する第１の変換方法の選択情報が供給されたとき、レジスタ１１０にロードされ、１０５０ｉ信号を出力するように動作させるための第２の動作指定情報は、システムコントローラ２６より情報メモリバンク１１５にＨＤ信号として１０５０ｉ信号を出力する第２の変換方法の選択情報が供給されたとき、レジスタ１１０にロードされる。
【００７２】
レジスタ１１１に格納するための予測タップのタップ位置情報は、第１の変換方法（５２５ｐ）に対応する第１のタップ位置情報と、第２の変換方法（１０５０ｉ）に対応する第２のタップ位置情報とからなる。情報メモリバンク１１５よりレジスタ１１１には、上述した変換方法の選択情報に従って第１のタップ位置情報または第２のタップ位置情報がロードされる。
【００７３】
レジスタ１１２に格納するための空間クラスタップは、第１の変換方法（５２５ｐ）に対応する第１のタップ位置情報と、第２の変換方法（１０５０ｉ）に対応する第２のタップ位置情報からなる。なお、第１および第２のタップ位置情報は、それぞれ動きが比較的小さい場合のタップ位置情報と、動きが比較的大きい場合のタップ位置情報とからなっている。情報メモリバンク１１５よりレジスタ１１２には、上述した変換方法の選択情報に従って第１のタップ位置情報または第２のタップ位置情報がロードされる。
【００７４】
レジスタ１１３に格納するための動きクラスタップのタップ位置情報は、第１の変換方法（５２５ｐ）に対応する第１のタップ位置情報と、第２の変換方法（１０５０ｉ）に対応する第２のタップ位置情報とからなる。情報メモリバンク１１５よりレジスタ１１３には、上述した変換方法の選択情報に従って第１のタップ位置情報または第２のタップ位置情報がロードされる。
【００７５】
また、情報メモリバンク１１５には、第１および第２の変換方法のそれぞれに対応した各クラスの係数種データが予め蓄えられている。
【００７６】
後述する推定予測演算回路１０７では、予測タップのデータ（ＳＤ画素データ）ｘｉと、係数メモリ１１４より読み出される係数データＷｉとから、式（４）の推定式によって、作成すべきＨＤ画素データ（ＨＤ信号を構成する画素データ）ｙが演算され、この推定式の係数データＷｉ（ｉ＝１〜ｎ）は、式（５）に示す、パラメータｒ，ｚを含む生成式によって生成される。すなわち係数種データとは、この生成式（式（５））の係数データｗ１０〜ｗｎ９であり、情報メモリバンク１１５は、それらを、変換方法毎かつクラス毎に記憶している。
【数３】
2004247990.tif 000005
【数４】
2004247990.tif 000006
【００７７】
なお、この係数種データは、予め学習によって生成されたものである。図８は、この学習に利用される、パラメータｒ，ｚの値に対応したＳＤ信号の例を示している。この例では、パラメータｒ，ｚはそれぞれ９段階に可変され、合計８１種類のＳＤ信号が生成される。なお、パラメータｒ，ｚを９段階よりもさらに多くの段階に可変するようにしてもよい。その場合には、算出される係数種データの精度は良くなるが、計算量は増えることとなる。
【００７８】
図７に戻り、係数生成回路１１６は、情報メモリバンク１１５よりロードされた、上述した変換方法の選択情報に従って第１の変換方法または第２の変換方法に対応した各クラスの係数種データ、およびシステムコントローラ２６から供給されたパラメータｒ，ｚの値とを用い、式（５）によって、クラス毎に、パラメータｒ，ｚの値に対応した推定式（式（４））の係数データＷｉ（ｉ＝１〜ｎ）を生成する。
【００７９】
係数生成回路１１６で生成される各クラスの係数データＷｉ（ｉ＝１〜ｎ）は、上述した係数メモリ１１４に格納される。
【００８０】
正規化係数生成回路１１７は、係数生成回路１１６で生成される各クラスの係数データＷｉ（ｉ＝１〜ｎ）に対応した正規化係数Ｓを、（６）式によって、演算する。
【数５】
2004247990.tif 000007
【００８１】
正規化係数メモリ１１８は、ここで生成された正規化係数を、クラス毎に格納する。正規化係数メモリ１１８には、上述したクラス合成回路１０６より出力されるクラスコードが読み出しアドレス情報として供給され、この正規化係数メモリ１１８からはクラスコードに対応した正規化係数が読み出され、正規化演算回路１０８に供給される。
【００８２】
推定予測演算回路１０７は、第１のタップ選択回路１０１で選択的に取り出される予測タップのデータ（ＳＤ画素データ）ｘｉと、係数メモリ１１４より読み出される係数データＷｉとから、式（４）の推定式によって、作成すべきＨＤ信号の画素（注目画素）のデータを演算する。
【００８３】
具体的には、推定予測演算回路１０７は、５２５ｐ信号を出力する場合、奇数（ｏ）フィールドおよび偶数（ｅ）フィールドで、５２５ｉ信号のラインと同一位置のラインデータＬ１と、５２５ｉ信号の上下のラインの中間位置のラインデータＬ２とを生成し、各ラインの画素数を２倍とする。また、推定予測演算回路１０７は、１０５０ｉ信号を出力する場合、奇数（ｏ）フィールドおよび偶数（ｅ）フィールドで、５２５ｉ信号のラインに近い位置のラインデータＬ１，Ｌ１′と、５２５ｉ信号のラインから遠い位置のラインデータＬ２，Ｌ２′とを生成し、各ラインの画素数を２倍とする。
【００８４】
従って、推定予測演算回路１０７では、ＨＤ信号を構成する４画素のデータが同時的に生成される。例えば、４画素のデータはそれぞれ係数データを異にする推定式を使用して同時的に生成されるものであり、係数メモリ１１４からはそれぞれの推定式の係数データが供給される。
【００８５】
正規化演算回路１０８は、推定予測演算回路１０７より出力されるラインデータＬ１，Ｌ２（Ｌ１′，Ｌ２′）を構成する各ＨＤ画素データｙを、正規化係数メモリ１１８より読み出され、それぞれの生成に使用された係数データＷｉ（ｉ＝１〜ｎ）に対応した正規化係数で除算して正規化する。
【００８６】
係数生成回路１１６で係数種データより生成式で推定式の係数データを求めるものであるが、生成される係数データは丸め誤差を含み、係数データＷｉ（ｉ＝１〜ｎ）の総和が１．０になることは保証されない。そのため、推定予測演算回路１０７で演算されるＨＤ画素データｙは、丸め誤差によってレベル変動したものとなるが、上述したように、正規化演算回路１０８で正規化することで、その変動を除去できる。
【００８７】
後処理回路１０９は、水平周期を１／２倍とするライン倍速処理を行って、推定予測演算回路１０７より正規化演算回路１０８を介して供給されるラインデータＬ１，Ｌ２（Ｌ１′，Ｌ２′）を線順次化する。
【００８８】
上述したように、係数生成回路１１６で、情報メモリバンク１１５よりロードされる係数種データを用いて、クラス毎に、パラメータｒ，ｚの値に対応した推定式（式（５））の係数データＷｉ（ｉ＝１〜ｎ）が生成され、これが係数メモリ１１４に格納される。そして、この係数メモリ１１４より、クラスコードに対応して読み出される係数データＷｉ（ｉ＝１〜ｎ）を用いて推定予測演算回路１０７でＨＤ画素データｙが演算される（式（４））。従って、ユーザは、パラメータｒ，ｚの値を調整することで、ＨＤ信号による画像の画質を水平／垂直解像度およびノイズ抑圧効果の軸で自由に調整できる。
【００８９】
次に、図９を参照して、基板１２とテレビジョン受像機１の電気的構成例を説明する。
【００９０】
基板１２に実装された画像信号処理部７２には、図２に示す画像信号処理部４２における場合と同様に、接続部７１およびベイ４の接続部２１を介して、色復調回路２４からのＳＤ信号（５２５ｉ信号）、同期分離回路２５からの同期信号、システムコントローラ２６からの制御信号がそれぞれ入力される。画像信号処理部７２は、入力されたそれらの信号を利用して、ＨＤ信号（５２５ｐ信号または１０５０ｉ信号）を生成する。
【００９１】
画像信号処理部７２は、ＨＤ信号を生成する際、ＳＤ信号の全領域が処理領域となる、画像の拡大率が１のＨＤ画像を表示するためのＨＤ信号を生成したり（通常モード）、ユーザによって指定される任意の点（ズーム中心点）を中心として画像の拡大率が連続的に変化するズーム画像を表示するためのＨＤ信号を生成する（ズームモード）。このズームモードの場合、画像の拡大率に応じてＳＤ信号の処理領域が変化する。
【００９２】
ズームモードの場合、さらに画像の拡大率の変化を、ユーザのリモートコマンダ５の操作に応じて行うマニュアルモードと、自動的に行うオートモードとがある。マニュアルモードの場合、ユーザがリモートコマンダ５を操作することで、予め設定されている変化速度で画像の拡大率が変換していく。オートモードの場合、初期状態が拡大率が１であるときは、予め設定された変化時間内に、設定された目標拡大率となるように画像の拡大率が変換していき、逆に初期状態が目標拡大率にあるときは、予め設定された変化時間内に、拡大率が１となるように画像の拡大率が変化していく。なお、マニュアルモードにおける変化速度、オートモードにおける変化時間、目標拡大率は、ユーザのリモートコマンダ５による操作で設定できる。
【００９３】
図１０は、ズームモード時に表示されるユーザインタフェースの例を示している。ユーザは、リモートコマンダ５を操作して、表示部３に表示されたズーム範囲画面３ｃ（図１０上段）の位置を決定し、水平または垂直の拡大率を決定する。その結果、図１０下段に示すように、ズーム範囲画面３ｃの部分が拡大されて表示部３全体に表示される。
【００９４】
すなわち、図９に示すように、基板１２がテレビジョン受像機１に装着されている場合、システムコントローラ２６は、制御信号として、図１１に示すように、ＨＤ信号として５２５ｐ信号を出力する第１の変換方法、またはＨＤ信号として１０５０ｉ信号を出力する第２の変換方法を表す信号フォーマットの選択情報（Ｄａｔａ０，１）、ノイズ抑圧効果の設定値（パラメータｚ）（Ｄａｔａ２，３）、および水平／垂直の解像度の設定値（パラメータｒ）（Ｄａｔａ４，５）の他、ズーム範囲の中心点の水平および垂直位置（Ｄａｔａ６，７とＤａｔａ８，９）、水平方向の拡大率（Ｄａｔａ１０，１１）、垂直方向の拡大率（Ｄａｔａ１２，１３）、および変化速度（Ｄａｔａ１４，１５）等を、画像信号処理部４２に供給する。
【００９５】
なお、図５，１１では、画像信号処理部４２，７２に対する制御信号の例を示したが、例えば、スローモーションで画像を表示する機能を有する新たな画像信号処理部に対しては、スローモーションの開始ポイントや時間伸張率等を、図５，１１に示した制御信号に続けて送信することができる。
【００９６】
図１２は、基板１２の画像信号処理部７２の構成例を示している。この画像信号処理部７２には、図７の画像信号処理部４２に、位相情報発生回路１１９がさらに設けられた構成を有しているので、他の部分の説明は適宜省略する。
【００９７】
情報メモリバンク１１５には、ＨＤ信号として５２５ｐ信号を出力する第１の変換方法に対応するものと、ＨＤ信号として１０５０ｉ信号を出力する第２の変換方法に対応するものの、レジスタ１１０に格納するための動作指定情報、およびレジスタ１１１乃至１１３に格納するための、画像の拡大率や変化速度に対応したタップ位置情報がそれぞれ予め蓄えられている。すなわち情報メモリバンク１１５からは、システムコントローラ２６により供給される変換方法に応じた動作指定情報と、タップ位置情報とが、レジスタ１１０乃至１１３にロードされる。
【００９８】
また、情報メモリバンク１１５には、各クラスの係数種データが予め蓄えられている。この係数種データは、係数メモリ１１４に格納するための係数データを生成するための、位相情報ｈ，ｖおよび画質調整情報ｆ，ｇをパラメータとする生成式の係数データである。
【００９９】
推定予測演算回路１０７では、予測タップのデータｘｉと、係数メモリ１１４より読み出される係数データＷｉとから、式（４）の推定式によって、作成すべき画素データｙが演算され、この推定式の係数データＷｉ（ｉ＝１〜ｎ）は、位相情報ｈ，ｖおよび画質調整情報ｆ，ｇをパラメータとする生成式によって生成される。ここで、位相情報ｈは水平方向の位相情報であり、位相情報ｖは垂直方向の位相情報である。また、画質調整情報ｆは解像度を調整するための画質調整情報（上述したパラメータｒと同じ）であり、画質調整情報ｇはノイズ抑圧度を調整するための画質調整情報（上述したパラメータｚと同じ）である。すなわちここでの係数種データとは、式（７）の生成式の係数データｗｉ（ｉ＝１〜ｎ）であり、情報メモリバンク１１５は、それらを、クラス毎に記憶している。
【数６】
2004247990.tif 000008
【０１００】
係数生成回路１１６は、情報メモリバンク１１５よりロードされた、上述した変換方法の選択情報に従って第１の変換方法または第２の変換方法に対応した各クラスの係数種データ、作成すべきＨＤ信号を構成する単位画素ブロック毎に位相情報発生回路１１９で発生された、その単位画素ブロック内に存在する各画素の位相情報ｈ，ｖ、およびシステムコントローラ２６から供給された画質調整情報ｆ，ｇの値とを用い、（７）式によって、クラス毎に、推定式（式（４））の係数データＷｉ（ｉ＝１〜ｎ）を生成する。
【０１０１】
係数生成回路１１６で生成される各クラスの係数データＷｉ（ｉ＝１〜ｎ）は、上述した係数メモリ１１４に格納される。
【０１０２】
位相情報発生回路１１９には、システムコントローラ２６より、画像の拡大率に対応したＳＤ信号とＨＤ信号における垂直方向、水平方向の各フィールドにおける画素数の対応情報ｎ／ｍ（水平／垂直方向の拡大率）、およびズーム中心点の情報（中心点の水平および垂直位置）が供給される。
【０１０３】
位相情報発生回路１１９は、これら対応情報ｎ／ｍおよびズーム中心点の情報に基づいて、ＨＤ信号を構成する単位画素ブロック毎に、その単位ブロック内の各画素の位相情報ｈ，ｖを発生する。この位相情報発生回路１１９は例えばＲＯＭテーブルで構成される。
【０１０４】
この位相情報発生回路１１９でＨＤ信号を構成する単位画素ブロック毎に発生される各画素の位相情報ｈ，ｖは、それぞれ画素番号（タップ番号）と関連付けられて、係数生成回路１１６に供給される。なお、位相情報発生回路１１９は、ＳＤ信号の奇数、偶数のフィールドのそれぞれに対応して位相情報ｈ，ｖを発生する。
【０１０５】
ここで、ＨＤ信号を構成する単位画素ブロックについて説明する。
【０１０６】
画像の拡大率（画像サイズ）に応じて、ＨＤ信号を生成するためのＳＤ信号の処理領域が変化する。ＳＤ信号の全体領域を１とするとき、例えば画像の拡大率が１であるときＳＤ信号の処理領域は１であり、画像の拡大率が２であるときＳＤ信号の処理領域は１／２となる。一般に、画像の拡大率がＴであるとき、ＳＤ信号の処理領域は１／Ｔとなる。
【０１０７】
通常モードの場合には、画像の拡大率は１であるので、ＳＤ信号の処理領域は１のまま固定である。ズームモードの場合、画像の拡大率が連続的に変化するので、ＳＤ信号の処理領域も連続的に変化する。図１３は、ズームモードの場合にあって、画像の拡大率が順次大きくなっていくときの、ＳＤ信号の処理領域（図中、陰が付されている部分）とＨＤ信号による画像（出力画像）の表示範囲との関係を示している。この場合、ＳＤ信号の処理領域は順次小さくなるが、出力画像の表示範囲は常に一定である。なお、ズームモードの場合にあって、画像の拡大率が順次小さくなっていくときは、図１３とは逆の変化となる。
【０１０８】
また、ズームモードの場合、ユーザによって指定される任意の点（ズーム中心点）を中心として画像の拡大率が連続的に変化したズーム画像を表示する。この場合、ＳＤ信号の処理領域を、ズーム中心点に応じて可変する。
【０１０９】
具体的には、ＳＤ信号の全体領域に対して実際の処理領域は上述したように画像の拡大率に応じて変化するが、この処理領域は、常に上述したズーム中心点を含み、そのズーム中心点の水平、垂直の内分比が、ＳＤ信号の全体領域におけるそのズーム中心点の水平、垂直の内分比と同一となるように設定される。
【０１１０】
図１４Ａ乃至図１４Ｃは、画像の拡大率が２（２倍ズーム）である場合におけるズーム中心点と処理領域との関係例を示している。この図１４Ａ乃至図１４Ｃにおいて、数字は内分比を表している。
【０１１１】
ＨＤ信号を構成する各単位画素ブロックは、上述した処理領域内に複数個、碁盤の目状に整然と並んでいる。単位画素ブロックの大きさは、画像の拡大率により変化し、ＳＤ信号のｍ×ｍの画素に対してＨＤ信号のｎ×ｎの画素が対応しているときは、ｎ×ｎということになる。そして、この単位画素ブロックは、ＳＤ信号のｍ×ｍの画素に対応していることになる。
【０１１２】
推定予測演算回路１０７は、第１のタップ選択回路１０１で選択的に取り出される予測タップのデータｘｉ（ｉ＝１〜ｎ）と、係数メモリ１１４より読み出される係数データＷｉ（ｉ＝１〜ｎ）とから、ＨＤ信号を構成する単位画素ブロック内の各画素のデータを演算する。
ている。
【０１１３】
具体的には、推定予測演算回路１０７は、ＨＤ信号を構成する画素データが単位画素ブロック毎に生成される。すなわち、この推定予測演算回路１０７には、第１のタップ選択回路１０１より単位画素ブロック内の各画素（注目画素）に対応した予測タップのデータｘｉと、係数メモリ１１４よりその単位画素ブロックを構成する各画素に対応した係数データＷｉとが供給され、単位画素ブロックを構成する各画素のデータは、それぞれ個別に上述した式（４）の推定式で演算される。
【０１１４】
例えば、画像の拡大率が２．５倍（ｎ／ｍ＝５／２）のとき、単位画素ブロックを構成する２５個の画素データ同時的に生成される。また、画像の拡大率が１．７５倍（ｎ／ｍ＝７／４）のとき、単位画素ブロックを構成する４９個の画素データ同時的に生成される。
【０１１５】
以上のように、テレビジョン受像機１のベイ４と基板１１，１２には、基板１１，１２の画像信号処理部４２（図７），７２（図１２）が所定の画像処理を実行する上において必要な信号が伝送される接続部２１，４１，７１が設けられているので、基板１１と基板１２の差し替えを容易に行うことができるとともに、それによってテレビジョン受像機１の機能のバージョンアップを容易に行うことができる。
【０１１６】
また、図２および図９に示すシステムコントローラ２６は、装着された基板１１または１２の画像信号処理部４２または７２に応じた所定の制御信号を基板１１、１２に送信する処理など、装着された基板１１，１２に応じた処理を実行するようになされていたが、これは、システムコントローラ２６を構成するメモリに、基板１１，１２に応じた処理を実行するためのプログラムが格納されており、システムコントローラ２６のＣＰＵがそのプログラムを実行することにより行われる。
【０１１７】
そこで、例えば、図２に示したシステムコントローラ２６が、基板１１（画像信号処理部４２）に対応した処理を行うためのプログラムしか有していない場合、図１５に示すように、基板１２に、基板１２（画像信号処理部７２）に対応した処理を行うためのプログラムを記憶するメモリ７４を実装し、システムコントローラ２６は、基板１２が装着されたとき、メモリ７４に格納されているプログラムを、接続部７１および接続部２１（この例の場合、出力部７１ｄおよび入力部２１ｄ）を介してロードするようにして、画像信号処理部７２に対応した処理を行うようにすることもできる。
【０１１８】
なお、図１６に示すように、基板１１に、基板１１（画像信号処理部４２）に対応した処理を行うためのプログラムを記憶するメモリ４４を実装しておくこともできる。
【０１１９】
また、図２および図９に示すＯＳＤ回路２８は、図３および図１０に示すユーザインタフェースの表示信号のいずれも生成することができたが、基板１１に、図３に示すユーザインタフェースの表示信号を生成する機能、そして基板１２に、図１０に示すユーザインタフェースの表示信号を生成する機能を持たせるようにすることもできる。
【０１２０】
図１７は、この場合の基板１１とテレビジョン受像機１の電気的構成例を示している。この例におけるテレビジョン受像機１からは、図２に示すテレビジョン受像機１に設けられていたＯＳＤ回路２８、および合成器２９が取り除かれ、基板１１には、ＯＳＤコントローラ４５、ＯＳＤ回路４６、および合成器４７がさらに設けられている。なお、テレビジョン受像機１に、ＯＳＤ回路２８および合成器２９をそのまま備えておくこともできる。後述する図１８の場合も同様である。
【０１２１】
ＯＳＤコントローラ４５は、システムコントローラ２６からの制御信号（接続部２１および接続部７１を介して入力される）に応じてＯＳＤ回路４６の動作を制御する。ＯＳＤ回路４６は、図３に示したユーザインタフェースの表示信号を生成し、合成器４７に出力する。合成器４７は、ＯＳＤ回路４６から供給された表示信号を、画像信号処理部４２によって生成されたＨＤ信号に合成して、接続部４１および接続部２１を介して表示部３に供給する。
【０１２２】
図１８は、この場合の基板１２とテレビジョン受像機１の電気的構成例を示している。この例におけるテレビジョン受像機１からは、図９に示すテレビジョン受像機１に設けられていたＯＳＤ回路２８および合成器２９が取り除かれ、基板１２には、ＯＳＤコントローラ７５、ＯＳＤ回路７６、および合成器７７がさらに設けられている。
【０１２３】
ＯＳＤコントローラ７５は、システムコントローラ２６からの制御信号（接続部２１および接続部７１を介して入力される）に応じてＯＳＤ回路７６の動作を制御する。ＯＳＤ回路７６は、図１０に示したユーザインタフェースの表示信号を生成し、合成器７７に出力する。合成器７７は、ＯＳＤ回路７６から供給された表示信号を、画像信号処理部７２によって生成されたＨＤ信号に合成して、接続部７１および接続部２１を介して表示部３に供給する。
【０１２４】
なお、図１７および図１８に示す例においても、その図示は省略するが、図１５または図１６に示したように、基板１１に対応した処理を行うためのプログラムを記憶するメモリ４４を、基板１２に対応した処理を行うためのプログラムを記憶するメモリ４５を、それぞれ基板１１または基板１２に実装することもできる。
【０１２５】
また、図１７および図１８の例では、ＯＳＤ機能を基板１１および基板１２に持たせるようにしたが、図１９および図２０に示すように、システムコントローラの機能を、基板１１および基板１２に持たせるようにすることもできる。
【０１２６】
なお、このとき、接続部２１の出力部２１ｃおよび接続部４１，７１の入力部４１ｃ，７１ｃには、リモコン信号受信回路２７からの操作信号が転送される。また接続部２１および接続部４１，７１には、チューナ２３の制御信号が転送される出力部４１ｆ，７１ｆと入力部２１ｆが設けられる。
【０１２７】
また、図２および図９に示すリモコン信号受信回路２７は、図３および図１０に示すユーザインタフェースに対するリモートコマンダ５の操作を解釈するなど、基板１１および基板１２に対応したリモートコマンダ５の操作内容を解釈することができたが、基板１１に、基板１１に対応した操作内容を解釈することができる機能を、そして基板１２に、基板１２に対応した操作内容を解釈することができる機能をそれぞれ持たせるようにすることもできる。
【０１２８】
図２１は、この場合の基板１１とテレビジョン受像機１の電気的構成例を示している。この例におけるテレビジョン受像機１からは、図２に示すリモコン信号受信回路２７が取り除かれ、基板１１には、基板１１に対応して、リモートコマンダ５の操作内容を解釈することができるリモコン信号受信回路４９がさらに設けられている。
【０１２９】
図２２は、この場合の基板１２とテレビジョン受像機１の電気的構成例を示している。この例におけるテレビジョン受像機１からは、図９に示すリモコン信号受信回路２７が取り除かれ、基板１２には、基板１２に対応して、リモートコマンダ５の操作内容を解釈することができるリモコン信号受信回路７９がさらに設けられている。なお、図２１およぶ図２２において、テレビジョン受像機１に、リモコン信号受信回路２７をそのまま残しておくこともできる。
【０１３０】
また、図２３に示すように、図１９に示した基板１１に、リモコン信号受信回路４９を設けるようにすることもでき、また図２４に示すように、図２０に示した基板１２に、リモコン信号受信回路７９をさらに設けるようにすることもできる。
【０１３１】
なお、以上においては、基板１１と基板１２を差し替えることによって、画像処理機能のバージョンアップがなされたが、基板１１または基板１２を利用して、他の表示部（例えば、固定画素表示パネル）の利用を可能とすることもできる。
【０１３２】
図２５は、この場合の基板１１とテレビジョン受像機１の電気的構成例を示している。この例におけるテレビジョン受像機１には、図２に示す表示部３に代えて、固定画素表示パネル３１と、偏向回路３０に代えて、パネルドライブ回路３２が設けられている。
【０１３３】
基板１１には、図２に示す基板１１に、リサイズ処理回路５０がさらに設けられている。このリサイズ処理回路５０は、画像信号処理部４２によって生成された１０５０ｉ信号を、８０６ｐ信号（ＸＧＡ信号）や１１２５ｉ信号に変換し、接続部４１および接続部２１を介して出力する。
【０１３４】
図２６は、この場合の基板１２とテレビジョン受像機１の電気的構成例を示している。この例におけるテレビジョン受像機１には、図９に示す表示部３に代えて、固定画素表示パネル３１と、偏向回路３０に代えて、パネルドライブ回路３２が設けられている。
【０１３５】
基板１２には、図９に示す基板１２に、リサイズ処理回路８０がさらに設けられている。このリサイズ処理回路８０は、画像信号処理部７２によって生成された１０５０ｉ信号を、８０６ｐ信号（ＸＧＡ信号）や１１２５ｉ信号に変換し、接続部７１および接続部２１を介して出力する。なお、説明のために、リサイズ処理回路８０を、画像信号処理部７２と区別した図示したが、実際には、画像信号処理部７２が、その機能を有している。
【０１３６】
【発明の効果】
本発明によれば、画像処理装置の機能を容易に変更することができる。
【図面の簡単な説明】
【図１】本発明を適用したテレビジョン受像機の外観の構成例を示す図である。
【図２】本発明を適用したテレビジョン受像機の内部の構成例を示すブロック図である。
【図３】ユーザインタフェースの表示例を示す図である。
【図４】図３のユーザインタフェースの拡大図である。
【図５】制御信号のデータ構造を示す図である。
【図６】制御信号の転送方法について説明する図である。
【図７】図２の画像信号処理部の構成例を示す図である。
【図８】係数種データの生成において利用されるＳＤ信号を説明する図である。
【図９】本発明を適用したテレビジョン受像機の内部の他の構成例を示すブロック図である。
【図１０】他のユーザインタフェースの表示例を示す図である。
【図１１】他の制御信号のデータ構造を示す図である。
【図１２】図９の画像信号処理部の構成例を示す図である。
【図１３】ズーム機能を説明する図である。
【図１４】ズーム機能を説明する他の図である。
【図１５】本発明を適用したテレビジョン受像機の内部の他の構成例を示すブロック図である。
【図１６】本発明を適用したテレビジョン受像機の内部の他の構成例を示すブロック図である。
【図１７】本発明を適用したテレビジョン受像機の内部の他の構成例を示すブロック図である。
【図１８】本発明を適用したテレビジョン受像機の内部の他の構成例を示すブロック図である。
【図１９】本発明を適用したテレビジョン受像機の内部の他の構成例を示すブロック図である。
【図２０】本発明を適用したテレビジョン受像機の内部の他の構成例を示すブロック図である。
【図２１】本発明を適用したテレビジョン受像機の内部の他の構成例を示すブロック図である。
【図２２】本発明を適用したテレビジョン受像機の内部の他の構成例を示すブロック図である。
【図２３】本発明を適用したテレビジョン受像機の内部の他の構成例を示すブロック図である。
【図２４】本発明を適用したテレビジョン受像機の内部の他の構成例を示すブロック図である。
【図２５】本発明を適用したテレビジョン受像機の内部の他の構成例を示すブロック図である。
【図２６】本発明を適用したテレビジョン受像機の内部の他の構成例を示すブロック図である。
【符号の説明】
１  テレビジョン受像機，  ２  テレビジョンラック，  ３  表示部，  ５  リモートコマンダ，  １１  基板，  １２  基板，  ２１  接続部，  ２２  アンテナ，  ２３  チューナ，  ２４  色復調回路，  ２５  同期分離回路，  ２６  システムコントローラ，  ２７  リモコン信号受信回路，  ２８  ＯＳＤ回路，  ２９  合成器，  ３０  偏向回路，  ３１  固定が素表示パネル，  ３２パネルドライブ回路，  ４１  接続部，  ４２  画像信号処理部，  ４３  メモリ，  ４４  メモリ，  ４５  ＯＳＤコントローラ，  ４６  ＯＳＤ回路，  ４７  合成器，  ４８  システムコントローラ，  ４９  リモコン信号受信回路，  ５０  リサイズ回路，  ７１  接続部，  ７２  画像信号処理部，  ７３  メモリ，  ７４  メモリ，  ７５  ＯＳＤコントローラ，  ７６  ＯＳＤ回路，７７  合成器，  ７８  システムコントローラ，  ７９  リモコン信号受信回路，  ８０  リサイズ回路
【図１】
2004247990.tif 000009
【図２】
2004247990.tif 000010
【図３】
2004247990.tif 000011
【図４】
2004247990.tif 000012
【図５】
2004247990.tif 000013
【図６】
2004247990.tif 000014
【図７】
2004247990.tif 000015
【図８】
2004247990.tif 000016
【図９】
2004247990.tif 000017
【図１０】
2004247990.tif 000018
【図１１】
2004247990.tif 000019
【図１２】
2004247990.tif 000020
【図１３】
2004247990.tif 000021
【図１４】
2004247990.tif 000022
【図１５】
2004247990.tif 000023
【図１６】
2004247990.tif 000024
【図１７】
2004247990.tif 000025
【図１８】
2004247990.tif 000026
【図１９】
2004247990.tif 000027
【図２０】
2004247990.tif 000028
【図２１】
2004247990.tif 000029
【図２２】
2004247990.tif 000030
【図２３】
2004247990.tif 000031
【図２４】
2004247990.tif 000032
【図２５】
2004247990.tif 000033
【図２６】
2004247990.tif 000034